(57)【要約】【課題】組み立て作業が容易なリモコン装置を提供する。【解決手段】リモコン装置の本体部７のうち、化粧プレートが取り付けられる部分となる取付領域１３の近傍に、外部へ向かって突出する突出部２５を設ける。そして、外部から目視したときの突出部２５側の色と、取付領域１３側の色とが、透明色を含む全ての色のうちで異なる色となるように形成する。このことにより、突出部２５と取付領域１３のいずれか一方の視認性を他方に比べて相対的に高くする。【選択図】図３
2014212362.tif 000002
【特許請求の範囲】
【請求項１】
少なくとも制御基板を含む機器を筐体に内蔵して形成される本体部と、前記本体部の少なくとも一部を覆うように取付けられる化粧プレートとを備え、
前記本体部には、外部へ向かって突出する突出部が設けられるものであり、
前記突出部は、前記本体部のうちで化粧プレートが取り付けられる部分となる取付領域の近傍に形成されるものであり、
前記突出部の外側面の色、又は、前記本体部の内側面の一部であって前記突出部の基端部分と対向する位置にあり、前記突出部を外側から透過してみえる面の色を前記突出部側の色とし、
前記取付領域の外側面の色、又は、前記本体部の内側面の一部であって前記取付領域と対向する位置にあり、前記取付領域を外側から透過してみえる面の色を前記取付領域側の色としたとき、
前記突出部側の色と前記取付領域側の色とは、透明色を含む全ての色のうちで異なる色となるように形成されていることを特徴とするリモコン装置。
【請求項２】
前記突出部側の色又は前記取付領域側の色は、外側面又は内側面に微細な凹凸を形成することによって彩色されていることを特徴とする請求項１に記載のリモコン装置。
【請求項３】
前記微細な凹凸はシボ加工によって形成されていることを特徴とする請求項２に記載のリモコン装置。
【請求項４】
前記本体部に装着される化粧カバーを備え、前記化粧カバーによって前記突出部の少なくとも一部が覆われていることを特徴とする請求項１乃至３のいずれかに記載のリモコン装置。
【発明の詳細な説明】
【技術分野】
【０００１】
本発明は、給湯器等の機器を遠隔操作するためのリモコン装置に関するものである。
【背景技術】
【０００２】
従来、給湯器等の機器には、離れた位置から操作できるようにリモコン装置が接続されたものがある。例えば、個人住宅等で使用する給湯器には、浴室内に設置されたリモコン装置によって遠隔操作が可能なものがある。そして、このような給湯器では、使用者がリモコン装置を操作することにより、浴槽への湯張り、追い焚きといった動作が可能となっている。
【０００３】
このようなリモコン装置として、例えば、特許文献１に開示されたリモコン装置がある。このリモコン装置では、容器に回路基板が内蔵されており、回路基板上に位置するスイッチの大部分が容器の挿通孔に挿入された状態となっている。そして、挿通孔の内側端部から挿入されたスイッチは、挿通孔の外側端部から外側へ突出した状態となっている。すなわち、挿通孔の内側に配されたスイッチを外部から押圧可能な状態となっている。
【０００４】
また、特許文献１のリモコン装置では、このスイッチを内カバーで覆い、さらにその上から操作プレートで覆っている。この操作プレートは、可撓性を有する一枚板状の部材となっている。そして、操作プレートのうちでスイッチを覆っている部分は、周囲より盛り上がった状態となっている。つまり、特許文献１のリモコン装置では、使用者が操作プレートの盛り上がった部分を押圧すると、操作プレートの一部と内カバーとが押し込まれた状態となり、スイッチが押圧される構造となっている。
【０００５】
なお、特許文献１のリモコン装置では、スイッチ上に内カバーと操作プレートを重ねて配することにより、スイッチの可動部が位置する回路基板側への湯水の浸入を防止している。すなわち、湯水の浸入による回路基板の故障を阻止可能な構成となっている。
【先行技術文献】
【特許文献】
【０００６】
【特許文献１】実開平５−３５１３９号公報
【発明の概要】
【発明が解決しようとする課題】
【０００７】
ところで、上記したようなリモコン装置の組み立て作業では、操作プレートを容器に取り付けるとき、接着剤や両面テープ等で操作プレートを貼り付けることが一般的である。このとき、操作プレートの所定の部分がスイッチと重なるように位置合わせをする必要があるが、経験の浅い作業員には、この位置合わせ作業が困難であるという問題がある。
【０００８】
つまり、この操作プレートの位置合わせ作業は、作業員の目視による手動合わせであるので、熟練を要する作業となってしまう。このことから、熟練の作業者でなければ、操作プレートの貼り付け作業を短時間で正確に実施できないという問題である。
【０００９】
ここで、この位置合わせ作業を容易化するための方法として、操作プレートを貼りつける容器に、貼り付け位置の目印となる突起部分を形成するという方法が考えられる。この方法では、作業者が操作プレートの貼り付け作業を実施するとき、容器に設けられた突起部分を操作プレートの位置合わせの基準とすることができる。すなわち、突起部分によって貼り付け位置が明確となるので、操作プレートの貼り付け作業が容易となる。
【００１０】
しかしながら、この方法では、容器が透明樹脂によって形成される場合、すなわち、容器が透明色である場合に、突起部分が視認し難くなってしまうという問題が考えられる。
具体的に説明すると、容器が透明又は半透明である場合、容器と共に形成される突起部分もまた、透明又は半透明となってしまう。この場合、目印となる突起部分が目視し難くなってしまうため、突起部分を設けているにもかかわらず、操作プレートの位置合わせ作業が困難となってしまう。つまり、形成した容器の色合いによっては、突起部分が見え難く、目印として機能し難くなってしまう。このことにより、操作プレートの位置合わせ作業、延いては、操作プレートの貼り付け作業が容易化できないことが考えられる。
【００１１】
そこで本発明は、上記した従来技術の問題に鑑み、組み立て作業を容易に実施可能なリモコン装置を提供することを課題とする。
【課題を解決するための手段】
【００１２】
上記課題を解決するための請求項１に記載の発明は、少なくとも制御基板を含む機器を筐体に内蔵して形成される本体部と、前記本体部の少なくとも一部を覆うように取付けられる化粧プレートとを備え、前記本体部には、外部へ向かって突出する突出部が設けられるものであり、前記突出部は、前記本体部のうちで化粧プレートが取り付けられる部分となる取付領域の近傍に形成されるものであり、前記突出部の外側面の色、又は、前記本体部の内側面の一部であって前記突出部の基端部分と対向する位置にあり、前記突出部を外側から透過してみえる面の色を前記突出部側の色とし、前記取付領域の外側面の色、又は、前記本体部の内側面の一部であって前記取付領域と対向する位置にあり、前記取付領域を外側から透過してみえる面の色を前記取付領域側の色としたとき、前記突出部側の色と前記取付領域側の色とは、透明色を含む全ての色のうちで異なる色となるように形成されていることを特徴とするリモコン装置である。
【００１３】
本発明のリモコン装置では、化粧プレートが取り付けられる取付領域の近傍に、外部へ向かって突出する突出部が設けられている。このため、化粧プレートの取り付け作業を実施するとき、この突出部を化粧プレートの位置合わせの基準とすることができる。
これに加えて、本発明のリモコン装置では、突出部側と取付領域側とがそれぞれ異なる色となるように形成されており、突出部と取付領域のいずれか一方が他方と比べて視認性の高い状態となっている。すなわち、突出部と取付領域のいずれか一方が他方よりも際立って見える状態となっている。このことから、作業員が位置合わせの基準となる突起の位置、さらには、取付領域の位置を容易且つ正確に把握できる。このため、作業者が突起の位置や取付領域の位置をいち早く特定できなかったり、見失ったりすることがなく、化粧プレートの貼り付け作業を容易に実施できる。
なお、ここでいう化粧プレートは、シート状、薄紙状、カード状といった肉厚の薄いものを含むものとし、上記した操作プレートを含むものとする。
【００１４】
請求項２に記載の発明は、前記突出部側の色又は前記取付領域側の色は、外側面又は内側面に微細な凹凸を形成することによって彩色されていることを特徴とする請求項１に記載のリモコン装置である。
【００１５】
かかる構成によると、容易且つ安価に突出部側と取付領域側とを異なる色とすることができる。
なお、「表面に対して微細な凹凸を形成する」とは、表面がシボ（皺）状の凹凸面に形成されている、ということを含むものとする。
【００１６】
請求項３に記載の発明は、前記微細な凹凸はシボ加工によって形成されていることを特徴とする請求項２に記載のリモコン装置である。
【００１７】
表面を彩色するために形成される凹凸は、シボ加工を施して形成されたものであることが好ましい。
【００１８】
請求項４に記載の発明は、前記本体部に装着される化粧カバーを備え、前記化粧カバーによって前記突出部の少なくとも一部が覆われていることを特徴とする請求項１乃至３のいずれかに記載のリモコン装置である。
【００１９】
かかる構成によると、突出部を化粧カバーで覆うことにより、突出部の少なくとも一部を外部に露出しない状態とすることができる。そのため、突出部の視認性を向上させた場合、すなわち、突出部を際立って目立つ状態とした場合であっても、突出部が目立ってしまうことに起因してリモコン装置そのものの意匠性が低下することがない。
【発明の効果】
【００２０】
本発明によると、組み立て作業を容易に実施可能なリモコン装置を提供できる。
【図面の簡単な説明】
【００２１】
【図１】本発明の実施形態に係るリモコン装置を示す斜視図である。
【図２】図１のリモコン装置を示す分解斜視図である。
【図３】図２の本体部を示す斜視図である。
【図４】図２の本体部を示す斜視図であり、図３とは異なる方向からみた状態を示す。
【図５】図３のＡ−Ａ断面図である。
【図６】図２の本体部にプレート部を貼りつける様子を示す説明図である。
【図７】図２とは異なるリモコン装置を示す正面図である。
【図８】図２、図７とは異なるリモコン装置を示す正面図である。
【発明を実施するための形態】
【００２２】
以下、本発明の実施形態にかかるリモコン装置１について詳細に説明するが、本発明はこれらの例に限定されるものではない。また、上下左右の方向については、特に断りのない限り図１の状態を基準として説明する。
【００２３】
図１で示される本実施形態のリモコン装置１は、図示しない給湯器本体と共に使用されるものであり、この給湯器本体を遠隔操作可能な装置となっている。具体的に説明すると、本実施形態のリモコン装置１は、給湯器本体に内蔵された制御装置、つまり、給湯器本体の制御を統括するための制御装置（図示せず）と電気的に接続された状態となっている。そして、リモコン装置１と給湯器本体の制御装置とは、互いに信号を送受信可能な状態となっている。
【００２４】
なお、本実施形態のリモコン装置１と共に使用する給湯器本体（図示せず）には、公知の給湯器と同様のものを採用することができる。
本実施形態では、リモコン装置１と共に使用する給湯器本体（図示せず）は、燃焼用のバーナによって外部から供給される燃料を燃焼する燃焼部（図示せず）と、湯水や不凍液等の熱媒体を加熱するための熱交換器（図示せず）とを備えた構成となっている。そして、燃焼部の燃焼動作で生成される燃焼ガスとの間で熱交換を実施することにより、湯水や不凍液等の熱媒体を加熱可能となっている。より詳細には、湯水や不凍液等の熱媒体を加熱することで、外部の給水源から供給された湯水を加熱して給湯栓から供給する一般給湯運転、浴槽に湯水を注湯する落とし込み運転、外部の暖房機器に熱を供給する暖房運転、浴槽に貯湯した湯水を加熱する追い焚き運転等の各種運転が可能となっている。
【００２５】
本実施形態のリモコン装置１は、図２で示されるように、外枠部分を形成する化粧カバー５と、制御基板や信号線、電力線、スピーカ等が筐体６に収容されて形成される本体部７と、可撓性を有する板体であるプレート部８（化粧プレート）とを備えている。そして、本実施形態のリモコン装置１は、本体部７の外表面の一部分にプレート部８を貼り付けた状態とし、化粧カバー５を本体部７外側に装着した状態とすることで形成されている。
【００２６】
筐体６は、アクリル、ポリカーボネート、透明ＡＢＳ等の透明樹脂を射出成型法等の適宜な成型手段によって硬化させて形成している。すなわち、この筐体６は弾性変形が可能な透明色の容器となっており、光を透過するものであって、外側から内部を視認可能となっている。
なお、作図の都合上、透過して見える内部の部分については、図示を省略するものとする。
【００２７】
筐体６の表面部分には、図３で示されるように、運転操作部１０と、スピーカ部１１と、表示部１２と、設定操作部１３（取付領域）とがそれぞれ設けられている。
より詳細には、リモコン装置１の通常の設置状態を基準とすると、運転操作部１０とスピーカ部１１が上端よりの位置に並列するように配されており、これらの下方に表示部１２が位置している。さらに、表示部１２の下方側には、設定操作部１３が位置している。このとき、表示部１２は、リモコン装置１の上下方向における略中心近傍に位置している。
【００２８】
運転操作部１０は、給湯器本体の運転モードを切り替えるための運転スイッチや、給湯器本体に各種運転を実行させるためのスイッチ等、給湯器本体に各種運転を実行させるためのスイッチを形成する部分である。
【００２９】
この運転操作部１０は、筐体６に内蔵された制御基板と一体に設けられたスイッチ（図示せず）の外側に位置しており、詳細には、スイッチ（図示せず）の可動部分の外側に隣接した状態となっている。そして、スイッチの可動部分と近接している部分には、外側へ向かって突出する外形が略円柱状の突起状部２０と、突起状部２０の基端部分を取り囲むように設けられた溝状部２１が形成されている。
【００３０】
ここで、上記したように、筐体６は弾性変形可能な部材となっている。そのため、突起状部２０を外側から押圧すると、突起状部２０が筐体６の内側へ向かって移動することとなる。このとき、突起状部２０の基端部分の周辺には、溝状部２１が設けられており、筐体６の外表面の一部が欠落した状態となっている。すなわち、突起状部２０の周辺は弾性変形し易くなっており、突起状部２０が内側へ移動し易くなっている。つまり、溝状部２１を設けることにより、突起状部２０が移動し易い構造としている。
【００３１】
そして、突起状部２０が押圧されると、突起状部２０が筐体６の内側へと移動し、筐体６に内蔵された制御基板と一体に設けられたスイッチ（図示せず）が押圧された状態となる。つまり、突起状部２０は、制御基板と一体に設けられたスイッチ（図示せず）と連動する構成となっている。なお、このスイッチ（図示せず）が押下されると、信号が生成され、制御基板によってスイッチ（図示せず）が押下されたことが検知される構成となっている。
【００３２】
スピーカ部１１は、筐体６に内蔵された制御基板（図示せず）と一体に設けられたスピーカの外側に位置する部分である。スピーカ部１１には、筐体６の内外を連通する縦溝が複数設けられており、これら複数の縦溝が並列した状態となっている。この縦溝は、放音孔として機能するものであり、内蔵されたスピーカが発した音声を確実に外部へ到達させるためのものである。
【００３３】
表示部１２は液晶パネルや有機ＥＬパネル等によって構成される表示装置であり、文字、数字、記号、図形、又はその他の符号等の表示が可能となっている。すなわち、この表示部１２は、時刻に関する情報、給湯温度等の設定内容に関する情報、給湯器本体２の運転状態に関する情報等の各種情報を表示するものである。
【００３４】
設定操作部１３は、例えば、落とし込み運転の実施時に浴槽へ供給する湯水の温度や、落とし込み運転の完了時における湯水の水位のような、各種運転の動作条件を変更するためのスイッチ群を形成するための部分である。
【００３５】
この設定操作部１３もまた、筐体６に内蔵された制御基板と一体に設けられたスイッチ（図示せず）の外側に位置している。より詳細には、このスイッチの可動部分の外側に隣接した状態となっている。そして、スイッチの可動部分と近接している部分には、外側へ向かって突出する外形が略円柱状の突起状部２０と、突起状部２０の基端部分を取り囲むように設けられた溝状部２１が形成されている。なお、突起状部２０と溝状部２１については、運転操作部１０に形成された突起状部２０、溝状部２１と同様の構造であるので、詳細な説明を省略する。
【００３６】
ここで、設定操作部１３の縁部分の外側に隣接する位置には、表面から外部へ向かって突出するリブ部２５（突出部）が設けられている。本実施形態の特徴的な部分であるリブ部２５につき、以下で詳細に説明する。
【００３７】
リブ部２５は、図４で示されるように、設定操作部１３の縁部分に沿って環状に連続するように延びており、設定操作部１３を囲繞した状態となっている。つまり、図３で示される状態を基準として、設定操作部１３の上下端のそれぞれの外側に隣接する位置と、左右端のそれぞれの外側に隣接する位置とにリブ部２５が形成されている。このリブ部２５は周囲より盛り上がった部分であり、外側へ向かって凸となっている。詳細には、図５で示されるように、突出端部分が丸みを帯びて凸となっている。
【００３８】
ここで、リブ部２５の外側表面は、シボ加工が施された状態となっている。ここで、「シボ加工が施されている」とは、リブ部２５の外側表面が、シボ（皺）状の凹凸面に形成されているということを意味する。つまり、リブ部２５の外側表面は、皺状の凹凸面加工が施されており、微細な凹凸から成る梨地面となっている。
【００３９】
また、シボ加工が施されていることにより、リブ部２５は、筐体６の他の部分と比べて相対的に視認性が高い状態となっている。別言すると、リブ部２５は、視認性を向上させる加工がなされているともいえる。
より詳細に説明すると、リブ部２５は、シボ加工が施されることで、周囲よりも白色化された状態となっている。すなわち、設定操作部１３及びその周辺を外側から目視したとき、リブ部２５が白みがかって見える状態となっている。これに対し、リブ部２５の周囲に位置する部分は透明色であり、筐体６の内部が透過して見える状態となっている。つまり、筐体６の略全体が透明色であるにもかかわらず、リブ部２５だけが白みがかってみえる。このため、本体部７を目視すると、リブ部２５が際立って見える状態となっている。
【００４０】
本実施形態では、シボ加工によってリブ部２５が白みがかって見える状態となっている。すなわち、筐体６の成形後に絵具等の塗料を塗布して白色化したのではなく、リブ部２５の表面に微細な凹凸面が形成されるように筐体６を成形し、その結果、目視したときに白色を帯びた色に見える状態となっている。このようにすると、安価且つ容易に、リブ部２５に対して塗料を塗布した場合と同様の効果を得ることができる。
【００４１】
すなわち、本実施形態では、リブ部２５の色（突出部側の色）と周囲の部分の色（取付領域側の色、及び、本体部７の内でリブ部２５の外側に位置する部分の色）とを異なる色（白みがかった色と透明色）とすることにより、リブ部２５を際立たせ、視認性を向上させている。より具体的には、周囲の部分が目視しにくい透明色であるのに対し、筐体６のうちでリブ部２５にのみ彩色することで、リブ部２５を視認し易くしている。
【００４２】
本実施形態のリモコン装置１では、このような視認性の高いリブ部２５を本体部７に設けることにより、プレート部８の貼り付け作業を容易に実施可能となっている。このことにつき、図６を参照しつつ、さらに詳細に説明する。なお、プレート部８の裏面は、両面テープが貼り付けられた状態、又は接着剤が塗布された状態となっており、本体部７に押し当てるだけで貼り付けが可能な状態となっている。
【００４３】
本実施形態では、リモコン装置１の本体部７に視認性の高いリブ部２５を形成しているので、プレート部８の貼り付け作業を実施するとき、作業員がリブ部２５の位置を容易且つ正確に認識することができる。このことから、作業員は、リブ部２５によって囲繞された領域、すなわち、プレート部８の貼りつけ位置を容易且つ正確に認識することができる。したがって、プレート部８の貼り付け作業を実施する際に、作業員が貼り付け位置を誤認してしまうことがなく、位置合わせが容易となる。延いては、プレート部８の位置ずれを防止できる。
【００４４】
また、プレート部８の貼り付け作業を実施するとき、リブ部２５がガイドとして機能する。すなわち、図６で示されるように、プレート部８の縁部分をリブ部２５の内周面に沿わせつつ貼り付けるだけで、プレート部８を位置ずれなく貼り付けることができる。このことから、プレート部８の位置合わせ及び貼り付け作業が容易となり、プレート部８の位置ずれを防止できる。
【００４５】
より詳細には、この場合、プレート部８の角縁部分を、リブ部２５の内周角部に当接させた状態とし、プレート部８の外縁部分をリブ部２５の内周面に沿わせつつ貼り付けていくだけで、プレート部８を位置ずれなく貼り付けることができる。ここで、上記したように、本実施形態では、リブ部２５の視認性を高くしている。そのため、作業者はリブ部２５の位置を見失ってしまうことがなく、この貼り付け作業を容易に実施できるという利点がある。
【００４６】
ここで、リモコン装置１が組み立てられた状態（図１参照）、すなわち、本体部７に化粧カバー５が取り付けられた状態では、化粧カバー５がリブ部２５の少なくとも一部と重なった状態となっている。より具体的には、化粧カバー５とリブ部２５が前後方向で重なった状態となっている。このことから、リモコン装置１を正面視したとき、リブ部２５が視認できない構成となっている。
つまり、リモコン装置１が組み立てられた状態では、リブ部２５は外部から見えない（又は非常に見え難い）位置に配される構成となっている。したがって、リブ部２５に彩色を施して周囲よりも際立つようにしても、リモコン装置１の意匠性が低下することなく、見栄えのよいリモコン装置１を形成できる。
【００４７】
上記した実施形態では、設定操作部１３の縁部分に沿って延びるリブ部２５の例を示したが、本発明はこれに限るものではない。本発明のリブ部は、必ずしも環状に延びている必要はない。さらに、本発明のリブ部は、１つに限らず複数設けてもよい。すなわち、本発明のリモコン装置、延いては本体部は、１又は複数のリブ部を有するものであってもよい。
【００４８】
例えば、図７で示されるように、４つのリブ部１２５を有する本体部１０７であってもよい。この本体部１０７では、設定操作部１１３（取付領域）の角縁部分と隣接する位置、すなわち、設定操作部１１３の左上、左下、右下、右上のそれぞれの端部と隣接する位置に、リブ部１２５が設けられている。それぞれのリブ部１２５は、正面した形状が略「Ｌ」字状となっている。また、このリブ部１２５は、上記の場合と同様に、外側へ向かって凸となっている。さらに、上記の場合と同様に、外側表面にシボ加工が施されている。
【００４９】
上記した実施形態では、リブ部２５の外側表面にシボ加工を施した例を示したが、本発明はこれに限るものではない。例えば、容器の内周面のうち、リブ部の内側に位置する部分にシボ加工を施してもよい。すなわち、リブ部の外側表面を滑らかな状態とし、リブ部の内側に位置する面をシボ状の凹凸面としてもよい。
なお、ここでいう「リブ部の内側に位置する部分」とは、リブ部が形成されている部分の背面側に位置する部分（面）であって、筐体２の内部側、すなわち、制御基板やスピーカが収容される空間側に位置する部分（面）である。付言すると、この面は、本体部７の内側面（図５における符号３００で示される面）の一部であって、リブ部２５の基端部分（図５における符号３０１で示される部分）と対向する位置にあり、リブ部２５を外側から透過してみえる面（図５における符号３０２で示される面）となる。
【００５０】
リブ部の内側に位置する部分にシボ加工を施した場合もまた、外側から目視したとき、リブ部が白みがかって見えることとなる。すなわち、リブ部を外側から目視すると、リブ部が透明色であることから、リブ部の裏側に位置する面が透過して見えることとなる。ここで、リブ部の裏側に位置する面にはシボ加工が施されており、シボ加工を施した面は白みがかって見える。このため、リブ部を外側から目視したとき、リブ部が配されている部分が白みがかって見えることとなる。結果、上記の場合と同様に、リブ部が際立って見えることとなる。
【００５１】
このように、筐体６が透明樹脂で形成されていることから、実際に筐体６を表面側から目視したとき、裏面側に位置するシボ加工を施した面が透過して見える状態となっている。つまり、シボ加工を施した裏面が、リブ部を筐体の厚さ方向に透過してみえる部分となっている。なお、「筐体の厚さ方向」は、上記した突起状部２０が押圧されて移動するときの移動方向と同一（又は略同一）となる。別言すると、「筐体の厚さ方向」は、筐体６の外側から内側へ向かう方向であって、設定操作部１３の外表面と直交（又は略直交）する方向と同一（又は略同一）となる。
【００５２】
さらにまた、上記した実施形態では、リブ部の外側表面や、リブ部の内側に位置する面にシボ加工を施した例を示したが、本発明はこれに限るものではない。
例えば、本体部２０７は、図８で示されるように、プレート部８の貼りつけ位置となる設定操作部２１３（取付領域）の外側表面にシボ加工を施してもよい。また、容器の内周面のうち、設定操作部２１３の内側に位置する部分にシボ加工を施してもよい。
なお、ここでいう「設定操作部２１３の内側に位置する部分」とは、設定操作部２１３が形成されている部分の背面側に位置する部分（面）であって、筐体２の内部側、すなわち、制御基板やスピーカが収容される空間側に位置する部分（面）である。付言すると、この面は、本体部７の内側面（図５における符号３００で示される面）の一部であって、設定操作部２１３と対向する位置（図５においては符号１３で示される部分と対向する位置）にあり、設定操作部２１３を外側から透過してみえる面（図５における符号３０４で示される面）となる。
【００５３】
この場合もまた、筐体６が透明樹脂で形成されていることから、実際に筐体６を表面側から目視したとき、裏面側に位置するシボ加工を施した面が透過して見える状態となっている。つまり、シボ加工を施した裏面が、設定操作部２１３を筐体の厚さ方向に透過してみえる部分となっている。なお、「筐体の厚さ方向」は、上記した突起状部２０が押圧されて移動するときの移動方向と同一（又は略同一）となる。別言すると、「筐体の厚さ方向」は、筐体６の外側から内側へ向かう方向であって、設定操作部２１３そのものの外表面と直交（又は略直交）する方向と同一（又は略同一）となる。
【００５４】
なお、設定操作部２１３の外側表面や、設定操作部２１３の内側に位置する部分にシボ加工を施した場合、リブ部２２５は、外側表面やその裏側の面にシボ加工を施していないものを採用することができる。
【００５５】
つまり、本発明はリブ部側に彩色する構成に限らず、設定操作部側に彩色する構成であってもよい。すなわち、リブ部及びその周辺を外側から目視したとき、リブ部と周囲の部分とが透明色を含む全ての色のうち、異なる色となっていればよい。しかしながら、リブ部が透明色である場合、リブ部２２５を視認し難くなるおそれがある。そのため、リブ部は、透明色でないことが望ましい。
【００５６】
上記した実施形態では、突出端部分が丸みを帯びて凸となっているリブ部２５の例を示したが、本発明はこれに限るものではない。例えば、断面形状が略方形状で延びるリブ部であってもよい。すなわち、リブ部の形状は適宜変更してよい。
【００５７】
また、上記した実施形態では、リブ部側と、設定操作部側のいずれか一方にシボ加工を施すことで白色化した。すなわち、一方を白色とし、他方を透明色とすることで、白色化した部分の視認性を向上させた。
しかしながら、本発明はこれに限るものではなく、例えば、２色成形等の適宜な手段により、リブ部と周囲の部分とをそれぞれ異なる色としてもよい。つまり、リブ部とリブ部の周辺の部分とが、透明色を含む全ての色のうち、異なる色となっていればよい。
【００５８】
上記した実施形態では、リブ部が形成されている部分、又は設定操作部の全域に亘って白色化した。すなわち、リブ部の外側表面の全域や、リブ部の内側に位置する部分の全域にシボ加工を施したり、設定操作部の外側表面の全域や、設定操作部の内側に位置する部分の全域にシボ加工を施した例を示した。しかしながら、本発明はこれに限るものではない。
例えば、リブ部のうちの所定の一部だけが白みがかって見えるように形成してもよい。また、設定操作部の内の所定の一部だけが白みがかって見えるように形成しても構わない。より詳細には、リブ部の外側表面のうちの一部にのみシボ加工を施したり、リブ部の内側に位置する部分の一部にのみシボ加工を施してもよい。また同様に、設定操作部の外側表面の一部にのみシボ加工を施したり、設定操作部の内側に位置する部分の一部にのみシボ加工を施してもよい。
【００５９】
つまり、いずれか一方の全ての部分の視認性が他方に比べて相対的に高くなった状態でなくてもよい。リブ部側と設定操作部側のうち、いずれか一方の少なくとも一部分の視認性が他方に比べて相対的に高くなっていればよい。
【００６０】
上記した実施形態では、筐体６を透明樹脂で形成する例を示したが、本発明はこれに限るものではない。
例えば、筐体が半透明となるように、半透明樹脂で形成してもよい。この場合、透過率が低いのでやや見え難いものの、筐体の内部が透過して見えることとなる。つまり、上記した場合と同様に、表面側から筐体を目視したとき、裏面側に位置するシボ加工を施した面が透過して見えることとなる。
【００６１】
上記した実施形態では、本体部７の成形と同時に実施する加工（シボ加工）によって表面に対して微細な凹凸を形成し、彩色する例を示したが、本発明はこれに限るものではない。
例えば、成形後に加工を施すことにより、表面に対して微細な凹凸を形成し、彩色してもよい。さらにまた、成形後に実施する表面処理、例えば、塗料を塗布する等の表面処理によって彩色してもかまわない。
【符号の説明】
【００６２】
１  リモコン装置
５  化粧カバー
６  筐体
７，１０７，２０７  本体部
８  プレート部（化粧プレート）
１３，１１３，２１３  設定操作部（取付領域）
２５，１２５，２２５  リブ部（突出部）
【図１】
2014212362.tif 000003
【図２】
2014212362.tif 000004
【図３】
2014212362.tif 000005
【図４】
2014212362.tif 000006
【図５】
2014212362.tif 000007
【図６】
2014212362.tif 000008
【図７】
2014212362.tif 000009
【図８】
2014212362.tif 000010